(57)【要約】      （修正有）【課題】広告、宣伝を行うことが可能なゴルフクラブ用スタンドを提供する。【解決手段】ゴルフクラブ１００の一端部を載せる基板部４と、基板部４から上方に延びる胴体部５と、胴体部５の上部に設けられゴルフクラブ１００の他端部側を支持する支持体３と、を備え、胴体部５に、宣伝広告を掲載可能な掲載部５２を設ける。この掲載部５２に宣伝広告を掲載することで、プレイの順番を待っているゴルファなどに対して、広告、宣伝を行うことが可能になる。【選択図】図１
0003148998.tif 000002
【実用新案登録請求の範囲】
【請求項１】
ゴルフクラブの一端部を載せる基板部と、前記基板部から上方に延びる胴体部と、前記胴体部の上部に設けられ前記ゴルフクラブの他端部側を支持する支持部と、を備え、
前記胴体部に、宣伝広告を掲載可能な掲載部が設けられている、ことを特徴とするゴルフクラブ用スタンド。
【請求項２】
前記支持部は、ゴルフクラブのグリップ側およびヘッド側を支持可能に構成されている、ことを特徴とする請求項１に記載のゴルフクラブ用スタンド。
【請求項３】
前記基板部と胴体部とは板材で一体的に形成され、前記掲載部は前記胴体部の一部から構成される平板部でシール状の宣伝広告材を貼り付け可能となっている、ことを特徴とする請求項１または２のいずれか１項に記載のゴルフクラブ用スタンド。
【請求項４】
前記基板部に、被設置側に配設された強磁性体と吸着する磁石が配設されている、ことを特徴とする請求項１から３のいずれか１項に記載のゴルフクラブ用スタンド。
【考案の詳細な説明】
【技術分野】
【０００１】
この考案は、ゴルフクラブを立て掛けるためのゴルフクラブ用スタンドに関する。
【背景技術】
【０００２】
ゴルフ場やゴルフ練習場などにおいて、複数のゴルフクラブを立て掛けられるゴルフクラブ用スタンドが知られている（例えば、特許文献１参照。）。このゴルフクラブ用スタンドは、円筒状の棒から構成され、下端部が地面内に差し込めるように、あるいは地面上に設置できるように形成され、ゴルフクラブのヘッドが地面側に置かれた状態で、ゴルフクラブのグリップ側を支持する支持部を有するものである。
【特許文献１】特開平０５−１０３８５０号公報
【考案の開示】
【考案が解決しようとする課題】
【０００３】
ところで、ゴルフ場やゴルフ練習場では、多くのゴルファ・プレイヤーがプレイを行っており、ひとつのゴルフクラブ用スタンドを複数のゴルファが共用する場合がある。すなわち、ひとつのゴルフクラブ用スタンドに複数のゴルファがそれぞれのゴルフクラブを立て掛け、順にプレイを行っていく。このとき、プレイを行っているゴルファ以外のゴルファは、自分のゴルフクラブ（つまりゴルフクラブ用スタンド側）や他人のプレイなどを見ながら順番を待つことになる。このような状況の下、このような待ち状態を有効に利用することで、ゴルファに対して効果的に広告、宣伝を行うことができると本考案者は考えた。しかしながら、従来のゴルフクラブ用スタンドでは、円筒状の棒から構成されているため、広告、宣伝の紙などを貼り付けたりすることが困難である。
【０００４】
そこでこの考案は、広告、宣伝を行うことが可能なゴルフクラブ用スタンドを提供することを目的とする。
【課題を解決するための手段】
【０００５】
上記目的を達成するために請求項１に記載の考案は、ゴルフクラブの一端部を載せる基板部と、前記基板部から上方に延びる胴体部と、前記胴体部の上部に設けられ前記ゴルフクラブの他端部側を支持する支持部と、を備え、前記胴体部に、宣伝広告を掲載可能な掲載部が設けられている、ことを特徴とするゴルフクラブ用スタンドである。
【０００６】
請求項２に記載の考案は、請求項１に記載のゴルフクラブ用スタンドにおいて、前記支持部は、ゴルフクラブのグリップ側およびヘッド側を支持可能に構成されている、ことを特徴とする。
【０００７】
請求項３に記載の考案は、請求項１または２に記載のゴルフクラブ用スタンドにおいて、前記基板部と胴体部とは板材で一体的に形成され、前記掲載部は前記胴体部の一部から構成される平板部でシール状の宣伝広告材を貼り付け可能となっている、ことを特徴とする。
【０００８】
請求項４に記載の考案は、請求項１から３に記載のゴルフクラブ用スタンドにおいて、前記基板部に、被設置側に配設された強磁性体と吸着する磁石が配設されている、ことを特徴とする。
【考案の効果】
【０００９】
請求項１に記載の考案によれば、胴体部に掲載部が設けられているため、この掲載部に宣伝広告を掲載することで、プレイの順番を待っているゴルファなどに対して、広告、宣伝を行うことが可能となる。しかも、基板部から上方に延びる胴体部に掲載部が設けられ、この位置は順番待ちをしているゴルファなどが目をよく向ける位置のため、広告宣伝効果が上がる。
【００１０】
請求項２に記載の考案によれば、支持部がゴルフクラブのグリップ側のみならず、ヘッド側をも支持可能となっている。このため、グリップ側を下に向けてヘッド側を支持した際に、ヘッドが上側に位置し、ゴルファなどがゴルフクラブの種類や番手を確認しやすくなる。
【００１１】
請求項３に記載の考案によれば、基板部と胴体部とが板材で一体的に形成され、かつ胴体部の一部によって掲載部が構成されているため、構成が簡単で、しかも、掲載部にシール状の宣伝広告材を貼り付けることで、容易かつ迅速に宣伝広告を行うことができる。
【００１２】
請求項４に記載の考案によれば、基板部に配設された磁石を被設置側に配設された強磁性体に吸着させることで、グランド（被設置側）などにアンカーなどを打たなくても、このゴルフクラブ用スタンドをグランド（被設置側）などに設置することができる。
【考案を実施するための最良の形態】
【００１３】
以下、この考案を図示の実施の形態に基づいて説明する。
【００１４】
図１は、この考案の実施の形態に係るゴルフクラブ用スタンド１を示す斜視図である。このゴルフクラブ用スタンド１は、ゴルフクラブ１００を立て掛けるためのスタンドであり、主として、主体２と、支持体（支持部）３とを備えている。
【００１５】
主体２は、図２、３に示すように、基板部４と胴体部５とから構成され、さらに胴体部５は中間部５１と掲載部５２とから構成されている。すなわち、一枚の長方形のアルミニウム（またはその合金）板の一端部側を基板部４とし、この基板部４の自由端部側を斜め上方に折り曲げて中間部５１とされている。さらに、基板部４側に斜め上方に折り曲げて掲載部５２とし、基板部４に対して胴体部５が外側に突出しながら上方に延びている。このようにして基板部４と胴体部５とは、平板材で一体的に形成され、また、掲載部５２は胴体部５の一部から構成される平板部となっている。さらに、基板部４と胴体部５の大きさ、高さや、胴体部５の曲げ角度などは、ゴルフクラブ１００のヘッド１００ａ側およびグリップ１００ｂ側のいずれを上に向けても、ゴルフクラブ１００を安定して支持できるように設定されている。
【００１６】
基板部４は、ゴルフクラブ１００の一端部を載せるベースであり、その上面には人工芝４１が敷設されている。また、基板部４の自由端部は、幅方向に沿って上方に折り曲げられて取付部４ａとされ、この取付部４ａにストッパ４２が取り付けられている。このストッパ４２は硬木で構成され、図２に示すように、ストッパ４２に形成された装着溝４２ａに基板部４の取付部４ａが圧入されることで、ストッパ４２が取り付けられている。そして、このストッパ４２にゴルフクラブ１００のヘッド１００ａ（図１参照）またはグリップ１００ｂの先端（図４参照）が当たることで、ゴルフクラブ１００が立った状態を維持できるようになっている。
【００１７】
また、掲載部５２には宣伝広告が掲載可能となっている。すなわち、掲載部５２は、上記のように平板部で、この掲載部５２の上面に、シール状の宣伝広告材を貼り付け可能となっている。この宣伝広告材は、例えば、塩化ビニル製のステッカで構成し、その表面に、ゴルフ場の営業内容、お土産品、レストランの営業内容などの、宣伝広告の内容を印刷したものとする。また、このような宣伝広告材は、掲載部５２の上に複数枚重ねて貼ることができ、あるいは掲載部５２から剥がして別の宣伝広告材を貼ることができるものを使用してもよい。ここで、掲載部５２の角度（水平に対する面角度）θと高さは、人が見やすいように設定され、特に、ゴルフクラブ用スタンド１から５ｍ程離れた位置から見やすいように設定されている。これは、プレイをしているゴルファ以外のゴルファは、ゴルフクラブ用スタンド１から５ｍ程離れた位置で順番待ちをしている場合が多いからである。
【００１８】
さらに、基板部４の四隅の下面には、図２に示すように磁石４３が配設されている。そして、地中（被設置側）に配設された鉄板（強磁性体）の上に基板部４を載せることで、磁石４３と鉄板とが吸着し（くっ付き）、ゴルフクラブ用スタンド１が地面上に設置されるようになっている。ここで、この実施の形態では、基板部４の四隅に磁石４３を配設しているが、下面全面に磁石４３を配設してもよく、また、基板部４（主体２）を鉄板などで構成する場合には、地中に磁石を配設するようにしてもよい。
【００１９】
支持体３は、胴体部５の上部に設けられ、ゴルフクラブ１００のヘッド１００ａ側またはグリップ１００ｂ側を支持するものである。すなわち、掲載部５２の自由端部が、幅方向に沿って水平に折り曲げられ取付部５２ａとされ、この取付部５２ａに、硬木で構成された角板状の支持体３が取り付けられている。この支持体３の長尺の自由端部には、円弧状に切り欠かれた支持溝３ａが複数形成されている。これにより、ゴルフクラブ１００のシャフト１００ｃのヘッド１００ａ側およびグリップ１００ｂ側の双方を安定して支持できるようになっている。すなわち、図４に示すようにヘッド１００ａ側を上に向けて立て掛けた場合、ヘッド１００ａの重みによってゴルフクラブ１００が動いてしまうが、支持溝３ａにシャフト１００ｃを挿入、嵌合させることで、ゴルフクラブ１００が安定して動かなくなるものである。
【００２０】
次に、このような構成のゴルフクラブ用スタンド１の使用方法および作用などについて説明する。
【００２１】
まず、掲載部５２の上面にシール状の宣伝広告材を貼り付け、地中の鉄板の上に基板部４を載せる。これにより、基板部４の磁石４３が鉄板に吸着してゴルフクラブ用スタンド１が地面に設置される。次に、各ゴルファがゴルフクラブ１００をゴルフクラブ用スタンド１に立て掛ける。このとき、図１に示すように、ヘッド１００ａを下して立て掛けてもよいし、図４に示すように、ヘッド１００ａを上にして立て掛けてもよく、また、シャフト１００ｃは支持溝３ａに挿入、嵌合させる。これにより、ゴルフクラブ用スタンド１によって各ゴルフクラブ１００が立った状態で支持される。そして、ゴルファは自分のゴルフクラブ１００をゴルフクラブ用スタンド１から選び取ってプレイを行う。このとき、プレイをしていないゴルファは、ゴルフクラブ用スタンド１から５ｍ程離れた位置で順番待ちをしており、また自分のゴルフクラブ１００を方、つまりゴルフクラブ用スタンド１の方を見つめている。あるいは、頻繁に目を向けている。このため、掲載部５２上の宣伝広告材がゴルファの目に留まり、ゴルファに対して宣伝広告がなされるものである。
【００２２】
以上のように、このゴルフクラブ用スタンド１によれば、順番待ちをしているゴルファなどが頻繁に目を向けるゴルフクラブ用スタンド１に、宣伝広告材を貼り付けることができるため、プレイの順番を待っているゴルファなどに対して、広告、宣伝を行うことが可能となる。しかも、上記のように、順番待ちをしているゴルファなどが見やすいように、掲載部５２が形成されているため、広告、宣伝の効果が向上する。さらに、基板部４と胴体部５とが板材で一体的に形成され、かつ胴体部５の一部によって掲載部５２が構成されているため、構成が簡単となる。しかも、掲載部５２にシール状の宣伝広告材を貼り付けるだけで、容易かつ迅速に宣伝広告を行うことができる。
【００２３】
また、ヘッド１００ａを上に向けて立て掛けることができるため、ゴルファなどがゴルフクラブ１００の種類や番手を確認しやすくなる。さらに、基板部４の磁石４３を地中の鉄板に吸着させることで、ゴルフクラブ用スタンド１を地面に設置するため、グランドや道路にアンカーなどを打つ必要がない。このため、道路などに穴が形成されることがなく、また、可搬性が向上し、容易に移動することができる。
【００２４】
以上、この考案の実施の形態について説明したが、具体的な構成は、上記の実施の形態に限られるものではなく、この考案の要旨を逸脱しない範囲の設計の変更等があっても、この考案に含まれる。例えば、上記の実施の形態では、掲載部５２にシール状の宣伝広告材を貼り付けるようにしているが、掲載部５２を電光掲示板で構成し、この電光掲示板に宣伝広告の内容を掲載するようにしてもよい。また、基板部４と胴体部５とが一体的に形成されているが、別体として結合してもよく、一方、支持体３を胴体部５（掲載部５２）に一体的に形成してもよい。
【００２５】
また、ゴルフクラブ１００を照らすＬＥＤライトを備え、早朝や夜間でもゴルフクラブ１００を見やすいようにしてもよく、さらにソーラーパネルを備え、このソーラーパネルで発電された電力でＬＥＤライトを発光させてもよい。さらには、中間部５１と掲載部５２との角部、基板部４と中間部５１との角部および基板部４とその取付部４ａとの角部を回動可能とし、ゴルフクラブ用スタンド１全体を２つ折りなどに折り畳めるようにしてもよい。
【図面の簡単な説明】
【００２６】
【図１】この考案の実施の形態に係るゴルフクラブ用スタンドに、ヘッドを下に向けてゴルフクラブを立て掛けた状態を示す斜視図である。
【図２】図１のゴルフクラブ用スタンドの正面図である。
【図３】図１のゴルフクラブ用スタンドの平面図である。
【図４】この考案の実施の形態に係るゴルフクラブ用スタンドに、ヘッドを上に向けてゴルフクラブを立て掛けた状態を示す斜視図である。
【符号の説明】
【００２７】
１        ゴルフクラブ用スタンド
２        主体
３        支持体（支持部）
３ａ      支持溝
４        基板部
４１      人工芝
４２      ストッパ
４３      磁石
５        胴体部
５１      中間部
５２      掲載部
１００    ゴルフクラブ
１００ａ  ヘッド
１００ｂ  グリップ
【図１】
0003148998.tif 000003
【図２】
0003148998.tif 000004
【図３】
0003148998.tif 000005
【図４】
0003148998.tif 000006